(57)【要約】【課題】畜舎の舎内と舎外との通気性を確保するとともに、畜舎内に鳥類が入り難く、出入口から畜舎に簡単に出入りすることができるシートカーテン構造を提供する。【解決手段】畜舎の出入口３の上枠部３１に沿って、複数の帯状カーテン片２，２，…が垂れ下がるように取付けられたシートカーテン構造１である。各帯状カーテン片２は、該帯状カーテン片２の表面２ａが出入口３の幅方向Ｂに沿った軸線Ｌに対して交差するように、上枠部３１に取付けられている。【選択図】図１
2015177764.tif 000002
【特許請求の範囲】
【請求項１】
畜舎の出入口の上枠部に沿って、複数の帯状カーテン片が垂れ下がるように取付けられたシートカーテン構造であって、
各帯状カーテン片は、該帯状カーテン片の表面が前記出入口の幅方向に沿った軸線に対して交差するように、前記上枠部に取付けられていることを特徴とするシートカーテン構造。
【請求項２】
各帯状カーテン片は、該帯状カーテン片の表面が前記軸線に対して直交するように、前記上枠部に取付けられていることを特徴とする請求項１に記載のシートカーテン構造。
【請求項３】
各帯状カーテン片は、該帯状カーテン片の表面が前記軸線に対して一定の角度で傾斜するように前記上枠部に取付けられていることを特徴とする請求項１に記載のシートカーテン構造。
【請求項４】
前記帯状カーテン片には、長手方向に沿って複数のリブが形成されていることを特徴とする請求項１〜３のいずれかに記載のシートカーテン構造。
【発明の詳細な説明】
【技術分野】
【０００１】
本発明は、畜舎の出入口の上枠部に沿って垂れ下がるように取付けられたシートカーテン構造に関する。
【背景技術】
【０００２】
従来から、家屋の屋内から屋外にペットが出入することができるように、建具にペット用の出入口を設け、この出入口にカーテンを取付けることがなされている。例えば、特許文献１には、屋内と屋外を仕切る建具にペットが出入する出入口を設け、その出入口の上枠部に沿って、複数の帯状カーテン片が垂れ下がるように各帯状カーテン片を取付けたシートカーテン構造が提案されている。
【０００３】
各帯状カーテン片は、帯状カーテン片の表面が出入口の方向に向き、かつ、帯状カーテン片同士に隙間が無いように、取付けられている。このように複数の帯状カーテン片を取付けることにより、屋外から屋内に虫類が進入することを防止するとともに、屋内の空気と、屋外の外気とを遮断することができる。
【先行技術文献】
【特許文献】
【０００４】
【特許文献１】特開２００７−１０７１８１号公報
【発明の概要】
【発明が解決しようとする課題】
【０００５】
ところで、牛、豚等の家畜が飼育される畜舎の出入口は、畜舎内の通気性のために換気口の機能と、家畜や作業車両が出入りするため、開放されている場合が多い。しかしながら、出入口を開放してしまうと、畜舎内にカラス類、ハト類などの鳥類が侵入することがあり、衛生上良いものとは言い難い。
【０００６】
このような点を鑑みて、例えば、特許文献１の技術を畜舎の出入口に適用すると図６（ａ）（ｂ）の如き構造になる。図６は、従来のシートカーテン構造（特許文献１に係るシートカーテン構造）を畜舎の出入口に適用した図であり、（ａ）は、その模式的斜視図、（ｂ）は、シートカーテン構造を構成する帯状シート片の配置状態を示した図である。
【０００７】
図６（ａ）に示すように、シートカーテン構造９は、複数の帯状カーテン片９１，９１，…で構成され、これらは畜舎の出入口３の上枠部３１に沿って取付けられている。各帯状カーテン９１は、図６（ｂ）に示すように、帯状カーテン片９１の幅方向と出入口３の幅方向Ｂが一致し、帯状カーテン片同士９１，９１の間には隙間がほとんどない状態で取付けられる。
【０００８】
これにより、確かに、畜舎内への鳥類の侵入を防止することができるが、畜舎の舎内と舎外の通気性（具体的には図６（ａ），（ｂ）に示す出入方向Ｔに空気が流れること）が阻害されるため、畜舎内の風通しが悪くなってしまう。
【０００９】
このような点から、畜舎の出入口に防鳥状ネットなどの網戸を取付けることあるが、この場合には、家畜や作業車両が畜舎を出入りする毎に、網戸により畜舎の出入口の開閉を行わなければならず、その作業性が煩雑なものとなった。
【００１０】
本発明は、このような点を鑑みて慣れたものであり、その目的とすることころは、畜舎の舎内と舎外との通気性を確保するとともに、畜舎内に鳥類が入り難く、出入口から畜舎に簡単に出入りすることができるシートカーテン構造を提供することにある。
【課題を解決するための手段】
【００１１】
前記課題を鑑みて、本発明に係るシートカーテン構造は、畜舎の出入口の上枠部に沿って、複数の帯状カーテン片が垂れ下がるように取付けられたシートカーテン構造であって、各帯状カーテン片は、該帯状カーテン片の表面が前記出入口の幅方向に沿った軸線に対して交差するように、前記上枠部に取付けられていることを特徴とする。
【００１２】
本発明によれば、各帯状カーテン片は、その表面が出入口の幅方向に沿った軸線に対して交差するように取付けられているので、帯状カーテン片同士の間には、その帯状カーテン片の長さ方向（出入口の高さ方向）に沿って隙間が形成される。この隙間により、畜舎の舎内と舎外の通気性を確保することができる。
【００１３】
また、舎外から舎内に向かって強風が吹いたとしても、この隙間から風を舎内に逃がすとともに、帯状カーテン片の表面に対する法線方向に直接風力が作用しないので、垂下した帯状カーテン片の捲れ上りが低減される。
【００１４】
さらに、複数の帯状カーテン片が、畜舎の出入口の上枠部に沿って垂れ下がるように取付けられているので、畜舎内に鳥類が入ることを抑えることができる。複数の帯状カーテン片により、シートカーテン構造が構成されているので、出入口から畜舎に家畜・搬送機械が出入りする際には、シートカーテン構造が暖簾の如く作用するので、出入口から畜舎にこれらが簡単に出入りすることができる。
【００１５】
より好ましい態様としては、各帯状カーテン片は、該帯状カーテン片の表面が前記軸線に対して直交するように、前記上枠部に取付けられている。このような状態で上枠部に取付けられた帯状カーテン片は、舎外から舎内に向かって流れる風の抵抗をほとんど受けず、たとえ風力が各帯状カーテン片に作用したとしても、各帯状カーテン片が捲れ上がることを防止することができる。さらに、出入方向からは帯状カーテン片の厚さ分しか見えないので、舎外から舎内、および、舎内から舎外を容易に視認することができる。
【００１６】
より好ましい別の態様としては、各帯状カーテン片は、前記帯状カーテン片の表面が前記軸線に対して一定の角度で傾斜するように、前記上枠部に取付けられている。このような状態で上枠部に取付けられた帯状カーテン片は、出入口の出入方向に対して帯状カーテン片の表面が傾斜しているので、舎外から舎内に向かって流れる風を、帯状カーテン片の表面に沿って逃がすことができる。また、舎外から出入口のシートカーテン構造を見たときに、傾斜した帯状カーテン片の表面が見えるので鳥類が舎内に入り難い。
【００１７】
さらに、好ましい態様としては、前記帯状カーテン片には、長手方向に沿って複数のリブが形成されている。この態様によれば、帯状カーテン片の表面が、出入口の幅方向に沿った軸線に対して交差するように取付けた場合には、隣接する帯状カーテン片同士の表面が対向する。この状態で、雨水などでその表面が濡れたとしても、リブにより帯状カーテン片の保形性が確保されるとともに、帯状カーテン片の長手方向の表面に凸部が形成されるため、隣接する帯状カーテン片同士が付着しにくくなる。
【発明の効果】
【００１８】
本発明によれば、畜舎内と畜舎外との通気性を確保するとともに、畜舎内に鳥類が入り難く、出入口から畜舎に簡単に出入りすることができる。
【図面の簡単な説明】
【００１９】
【図１】本発明の第１実施形態に係るシートカーテン構造を説明するための図であり、（ａ）は、その模式的斜視図、（ｂ）は、シートカーテン構造を構成する帯状シート片の配置状態を示した図。
【図２】本発明の第２実施形態に係るシートカーテン構造を説明するための図であり、（ａ）は、その模式的斜視図、（ｂ）は、シートカーテン構造を構成する帯状シート片の配置状態を示した図。
【図３】第１および第２の実施形態に係るシートカーテン構造を用いた場合の課題を示した模式的斜視図。
【図４】本発明の第３実施形態に係るシートカーテン構造を説明するための図であり、（ａ）はシートカーテン構造を構成する帯状シート片を示した斜視図，（ｂ）は、シートカーテン構造の模式的斜視図。
【図５】実施例１，２および比較例１における、畜舎内の鳥類の侵入数を確認した結果を示した図。
【図６】従来のシートカーテン構造を畜舎の出入口に適用した図であり、（ａ）は、その模式的斜視図、（ｂ）は、シートカーテン構造を構成する帯状シート片の配置状態を示した図。
【発明を実施するための形態】
【００２０】
以下、図面を参照して、本実施形態に基づき本発明を説明する。
〔第１実施形態〕
図１は、本発明の第１実施形態に係るシートカーテン構造１を説明するための図であり、（ａ）は、その模式的斜視図、（ｂ）は、シートカーテン構造１を構成する帯状シート片２の配置状態を示した図である。
【００２１】
図１（ａ）に示すように、本実施形態に係るシートカーテン構造１は、複数の帯状カーテン片２，２，…で構成され、複数の帯状カーテン片２，２，…は、畜舎の出入口３の上枠部３１に沿った出入口３の側枠部３２，３２間に、垂れ下がるように取付けられている。
【００２２】
各帯状カーテン片２は、可撓性を有した帯状の部材であり、後述するように畜舎の出入を好適に行うことができるものであれば、その素材は特に限定されるものではない。特に、畜舎の舎外と舎内を仕切ることから、その素材は防水性、耐候性等を有していることがさらに好ましく、たとえば、ポリエチレン、ポリプロピレン、ポリエステル、ナイロン、ポリ塩化ビニル等の熱可塑性樹脂からなる素材が好ましい。
【００２３】
さらに、これらの樹脂のうち、さらに好ましい樹脂は透明または半透明の樹脂（すなわち光透過性を有した樹脂）である。このような樹脂を選定することにより、複数の帯状カーテン片２，２，…を取付けたとしても、シートカーテン構造１を介して、畜舎の舎内と舎外を視認することができる。
【００２４】
帯状カーテン片２は、出入口３の上枠部３１から地面までの長さと略同等の長さ、若しくはわずかに長さを有している。このような長さを有した複数の帯状カーテン片２，２，２…を取付けることにより、シートカーテン構造１の下方を鳥類がくぐることを回避することができる。
【００２５】
図１（ｂ）に示すように、各帯状カーテン片２は、帯状カーテン片２の表面２ａが、出入口３の幅方向Ｂに沿った軸線Ｌに対して交差するように、上枠部３１に等間隔に取付けられている。本実施形態では、各帯状カーテン片２は、帯状カーテン片２の表面２ａが軸線Ｌに対して直交するように等間隔に取付けられている。
【００２６】
出入口３の上枠部３１に帯状カーテン片２を取付ける際には、各帯状カーテン片２を木製の取付部材４に取付けて、各取付部材４を上枠部３１にビスなどで固定する。なお、本実施形態では、帯状カーテン片２ごとに取付部材４を準備し、帯状カーテン片２を取付けたが、例えば、出入口３の上枠部３１に沿って固定される１本または数本の取付部材４に、予め複数の帯状カーテン片２を取付け、これを出入口３の上枠部３１に固定してもよい。また、本実施形態では、取付部材を固定したが、ネオジウム磁石などを用いて、上枠部３１に取付部材を着脱自在となるように、取付けてもよい。
【００２７】
本実施形態によれば、各帯状カーテン片２は、帯状カーテン片２の表面２ａが、出入口の幅方向Ｂに沿った軸線Ｌに対して交差するように、取付部材４を介して上枠部３１に取付けられているので、帯状カーテン片同士２，２の間には隙間が形成される。このような結果、隣接する帯状カーテン片同士２，２の表面２ａ，２ａの間に空気を流すことができ、畜舎の舎内と舎外の通気性を確保することができる。
【００２８】
特に本実施形態では、各帯状カーテン片２は、帯状カーテン片２の表面２ａが軸線Ｌに対して直交するように取付けられているので、舎外から舎内に向かって流れる風（図１（ｂ）の矢印参照）の抵抗をほとんど受けない（すなわち、帯状カーテン片２の表面２ａに対する法線方向に直接風力が作用しない）。このような結果、各帯状カーテン片２が捲れ上がることを防止することができる。さらに、出入方向Ｔから帯状カーテン片の厚さ分しか見えないので、舎外から舎内、および、舎内から舎外を容易に視認することができる。
【００２９】
また、複数の帯状カーテン片２，２，…が、畜舎の出入口３の上枠部３１に沿って垂れ下がるように取付けられているので、畜舎内に鳥類が侵入することを抑えることができる。また、複数の帯状カーテン片２，２，…により、シートカーテン構造１が構成されているので、出入口３から畜舎に家畜・搬送機械が出入りする際には、シートカーテン構造１が暖簾の如く作用するので、出入口３から畜舎にこれらが簡単に出入りすることができる。
【００３０】
〔第２実施形態〕
図２は、本発明の第２実施形態に係るシートカーテン構造１Ａを説明するための図であり、（ａ）は、その模式的斜視図、（ｂ）は、シートカーテン構造１Ａを構成する帯状シート片２の配置状態を示した図である。なお、第２実施形態が、第１実施形態と相違する点は、帯状カーテン片２の取付け状態であり、その他の構成は第１実施形態のもの同じであるので、その詳細な説明を省略する。
【００３１】
図２（ａ）及び（ｂ）に示すように、本実施形態では、各帯状カーテン片２，２は、帯状カーテン片２の表面２ａが軸線Ｌに対して一定の角度（交差角が４５°）で傾斜するように上枠部３１に取付けられている。
【００３２】
さらに、出入方向Ｔから見たときに、隣接する帯状カーテン片同士２，２の間には、隙間が形成されるように、各帯状カーテン片２は取付けられている。帯状カーテン片２の取付け角度の調整は、上述した取付部材４を上枠部３１に対して一定角度で固定することにより実現される。
【００３３】
このような状態で取付けられた帯状カーテン片２は、出入方向Ｔに対して帯状カーテン片２の表面が傾斜しているので、外から舎内に向かって流れる風を、隣接する帯状カーテン片同士の隙間に逃がすとともに、帯状カーテン片の表面に沿って逃がすことができる（図２（ｂ）参照）。さらに、舎外から出入口のシートカーテン構造を見たときに、傾斜した帯状カーテン片の表面が見えるので鳥類が舎内に入り難い。
【００３４】
このようにして、本実施形態の場合であっても、畜舎の舎内と舎外との通気性を確保するとともに、畜舎内に鳥類が入り難く、出入口３から畜舎に簡単に出入りするという効果を期待することがでる点はもちろんである。
【００３５】
ところで、第１および第２実施形態では、帯状カーテン片２の表面は、凹凸無く平滑な表面であり、帯状カーテン片は長手方向に対して可撓性が高いものであった。そして、いずれの実施形態の場合であっても、隣接する帯状カーテン片２，２同士の表面２ａ，２ａは対向してしまうため、雨水などでその表面が濡れた際には、図３に示すように、隣接する帯状カーテン片同士が付着してしまうことがあった。このような点を鑑みて、以下の第３実施形態に係るシートカーテン構造１Ｂを提案する。
【００３６】
〔第３実施形態〕
図４は、本発明の第３実施形態に係るシートカーテン構造を説明するための図であり、（ａ）はシートカーテン構造１Ｂを構成する帯状シート片を示した斜視図，（ｂ）は、シートカーテン構造１Ｂの模式的斜視図である。なお、第２実施形態が、第１実施形態と相違する点は、帯状カーテン片の形状であり、その他の構成は第１実施形態のもの同じであるので、その詳細な説明を省略する。
【００３７】
図４（ａ）に示すように、本実施形態では、上枠部３１に取付ける帯状カーテン片２Ａとして、長手方向に沿って複数（図では５つ）のリブ２ｂ，２ｂ…が等間隔に形成された帯状カーテン片を用いる。図４（ａ）では、帯状カーテン片２Ａはロール状に巻かれており、出入口の高さに合わせて適宜切断して用いられる。
【００３８】
このような帯状カーテン片２Ａを、図４（ｂ）に示すように、第１実施形態の如く上枠部３１に取付ける。これにより、帯状カーテン片２Ａ，２Ａ，…の表面２ａ，２ａ…が、雨水などで帯状カーテン片２Ａの表面が濡れたとしても、リブ２ｂにより帯状カーテン片２Ａの保形性が確保されるため、風力によりこれが変化し難く、隣接する帯状カーテン片同士２Ａ，２Ａが付着しにくくなる。
【００３９】
また、帯状カーテン片２Ａの長手方向の表面２ａには、リブ２ｂによる凸部が形成されるため、隣接する帯状カーテン片同士２Ａ，２Ａが付着しにくくなる。したがって、帯状カーテン片２Ａ，２Ａ同士の対向する少なくとも一方の表面２ａに、リブ２ｂによる凸部が形成されるように、複数の帯状カーテン片２Ａ，２Ａ，…同士を取付けることが好ましい。
【００４０】
さらに、帯状カーテン片２Ａにリブ２ｂを形成することにより、その表面２ａに付着した水滴をリブ２ｂの凸部を伝って下方（地面）に流下させることも期待できるため、リブによる凸部を少なくとも畜舎外に向かって形成されるように、複数の帯状カーテン片２Ａ，２Ａ…を上枠部３１に取付けることが好ましい。これにより、帯状カーテン片２Ａ，２Ａに雨水が付着しても、リブ２ｂの凸部を伝ってこれを地面に流下させることができる。
【実施例】
【００４１】
以下に本発明の実施例を説明する。
＜実施例１＞
幅２０ｃｍ×長さ３．６ｍ×厚さ２．０ｍｍのポリ塩化ビニル製の透明な帯状カーテン片（ストリップドアーシート：スワロン社製）を１４本準備し、畜舎の出入口（幅３．５ｍ，高さ３．６ｍ）の上枠部（幅３．６ｍ）に、図１（ａ），（ｂ）に示す第１実施形態の如く、帯状カーテン片を等間隔に取付けて、シートカーテン構造を作製した。
【００４２】
＜実施例２＞
実施例１と同じようにして、シートカーテン構造を作製した。実施例１と相違する点は、図２（ａ），（ｂ）に示す第２実施形態の如く、帯状カーテン片を等間隔に取付けて、シートカーテン構造を作製した点である。なお、本実施例では、帯状カーテン片の表面を、軸線に対して４５°傾斜させて取付けている。
【００４３】
＜比較例１＞
比較例１が実施例１と相違する点は、畜舎の出入口に帯状カーテン片を取付けず、出入口を開放した点である。
【００４４】
＜比較例２＞
比較例２が実施例１と相違する点は、畜舎の出入口に帯状カーテン片を取付けず、出入口にφ２．０ｍｍ、網目間隔２０ｍｍの網戸（防鳥ネット）を取付けた点である。
【００４５】
〔風速の測定試験〕
舎外の風速を測定するとともに、実施例１，２、比較例１，２に示した条件で、舎内の風速を測定した。この結果を表１に示す。なお、表１には、出入口の面積に対して、開口している面積率（開口率）も合わせて示した。
【００４６】
（結果１）
この結果から、比較例１および２と同様に、実施例１および２の場合も、風速の強度に影響が認められなかった。これにより、実施例１および２のような帯状カーテン片を取付けたとしても、舎内の換気性を損なうことがないと考えられる。
【００４７】
【表１】
2015177764.tif 000003
【００４８】
〔鳥の侵入の確認〕
実施例１、２および比較例１のものに対して、畜舎内の鳥類の侵入を確認する試験を行った。この結果を図５に示す。図５は、実施例１，２および比較例１における、畜舎内の鳥類の侵入数を確認した結果を示した図である。
【００４９】
（結果２）
図５からも明らかなように、比較例１の如く、出入口に何もつけずに開放状態とした場合には、１日当たり最多１３羽のカラス類・ハト類の侵入が確認された。しかしながら、実施例１（１４日間）および実施例２（１４日間）の如くシートカーテン構造を採用した場合には、畜舎内にカラス類・ハト類の侵入が殆どなかった。さらに、実施例２の状態から、比較例１の状態にすると、再び野生鳥類の侵入が頻繁化した。これらのことから、実施例１および２の如きシートカーテン構造を採用することにより、畜舎内の鳥類の侵入を抑えることができるといえる。
【００５０】
以上、本発明の実施形態について詳述したが、本発明は、前記の実施形態に限定されるものではなく、特許請求の範囲に記載された本発明の精神を逸脱しない範囲で、種々の設計変更を行うことができるものである。
【００５１】
第１および第２の実施形態では、帯状カーテン片の表面は、同一方向に向くように、各帯状カーテン片が上枠部に取付けられたが、通気性の確保、畜舎内への鳥類の侵入防止、および畜舎への出入の容易性が確保することができるのであれば、帯状カーテン片の表面が異なる方向に向いて取付けられてもよい。
【符号の説明】
【００５２】
１，１Ａ，１Ｂ：シートカーテン構造、２，２Ａ：帯状カーテン片、２ｂ：リブ、３：出入口、３１：上枠部、３２：側枠部、４：取付部材、Ｂ：幅方向、Ｔ：出入方向、Ｌ：軸線
【図１】
2015177764.tif 000004
【図２】
2015177764.tif 000005
【図３】
2015177764.tif 000006
【図４】
2015177764.tif 000007
【図５】
2015177764.tif 000008
【図６】
2015177764.tif 000009